(57)【特許請求の範囲】
【請求項１】
記録媒体に記録された映像の再生を行うための回転操作部材と、
該回転操作部材の回転速度と回転方向を検出する検出手段と、
該検出された回転速度と回転方向に応じて映像の再生を行う再生制御手段とを有し、
前記再生制御手段は、映像の再生が行われているときに前記回転操作部材の回転方向の変更が検出された場合は、再生方向を変更するとともに、前記回転操作部材の回転速度が所定速度以上であるときは前記回転速度に従った再生速度を選択して再生し、前記回転操作部材の回転速度が前記所定速度に満たないときは前記回転方向が変更される以前の再生速度に従って一意に定まる所定の再生速度で再生する制御を行うことを特徴とする映像再生装置。
【請求項２】
前記所定の再生速度は再生方向を変更する前の再生速度とすることを特徴とする請求項１記載の映像再生装置。
【請求項３】
前記回転操作部材の回転方向の検出は、割り込み機能による一定周期での回転検出信号の検出により行うことを特徴とする請求項１又は２記載の映像再生装置。
【請求項４】
前記回転操作部材の回転速度の検出は、割り込み機能による一定周期での回転検出信号の検出により回転方向の検出を行い、該検出された複数の回転検出信号間の合計時間を求めることにより行われることを特徴とする請求項１又は２記載の映像再生装置。
【請求項５】
テープ状の記録媒体から再生を行うことを特徴とする請求項１ないし４何れか記載の映像再生装置。
【請求項６】
ディスク状の記録媒体から再生を行うことを特徴とする請求項１ないし４何れか記載の映像再生装置。
【発明の詳細な説明】
【０００１】
【発明の属する技術分野】
本発明は、例えばＶＴＲの画像再生モードに於ける粗調と微調の複数の再生モードと画像非再生モードを制御するために適用して好適な記録媒体の映像再生装置に関するものである。
【０００２】
【従来の技術】
従来より、例えばテープレコーダ（ＶＴＲ）においては、画像再生モードにおける微調の制御に関して、いわゆるジョグダイアルと呼ばれるダイアルの（回転操作可能な回転操作部材）の回転速度に応じてコマ送りや再生速度、また回転の方向に基づいてコマ送りや再生の方向を制御することが提案されている。
【０００３】
【発明が解決しようとする課題】
しかしながら、上記のような従来の映像再生装置においては、回転速度により再生速度を決定しているため方向を転回する場合、同一の回転速度でダイアルを反対に操作しなければ同一の再生速度で方向転換が行われないため、ほとんどの場合は再生モードが静止再生モードとなったり違う再生速度となり、使用者の希望する再生速度で方向転換させることは非常に困難であるという問題点があった。
【０００４】
さらに前記のダイアルを例えばビデオカメラ（カメラ一体型ＶＴＲ）にて装備する場合においては、ビデオカメラの小型化により操作するダイアルが小さくなってしまうため小さいダイアルを同じ回転速度で方向転換させることは使用者にとってほとんど不可能であるという問題点があった。
【０００５】
本発明は、上記のような問題点を解決するためになされたものであり、回転操作部材の大きさに関わらず所定の再生速度で再生方向の転換を行う操作が容易に行える映像再生装置を提供することを目的とする。
【０００６】
【課題を解決するための手段】
本発明の映像再生装置は次のように構成したものである。
【０００７】
（１）記録媒体に記録された映像の再生を行うための回転操作部材と、該回転操作部材の回転速度と回転方向を検出する検出手段と、該検出された回転速度と回転方向に応じて映像の再生を行う再生制御手段とを有し、前記再生制御手段は、映像の再生が行われているときに前記回転操作部材の回転方向の変更が検出された場合は、再生方向を変更するとともに、前記回転操作部材の回転速度が所定速度以上であるときは前記回転速度に従った再生速度を選択して再生し、前記回転操作部材の回転速度が前記所定速度に満たないときは前記回転方向が変更される以前の再生速度に従って一意に定まる所定の再生速度で再生する制御を行うようにした。
（２）上記（１）の映像再生装置において、前記所定の再生速度は再生方向を変更する前の再生速度とするようにした。
（３）上記（１）又は（２）の映像再生装置において、前記回転操作部材の回転方向の検出は、割り込み機能による一定周期での回転検出信号の検出により行うようにした。
（４）上記（１）又は（２）の映像再生装置において、前記回転操作部材の回転速度の検出は、割り込み機能による一定周期での回転検出信号の検出により回転方向の検出を行い、該検出された複数の回転検出信号間の合計時間を求めることにより行うようにした。
（５）上記（１）ないし（４）何れかの映像再生装置において、テープ状の記録媒体から再生を行うようにした。
（６）上記（１）ないし（４）何れかの映像再生装置において、ディスク状の記録媒体から再生を行うようにした。
【００１３】
【発明の実施の形態】
図１は本発明に係るビデオカメラ（カメラ一体型ＶＴＲ）の要部構成を示すブロック図である。同図において、４はサーボならびに各部の制御を行うシステムコントロールであり、マイクロコンピュータ６を有している。
【００１４】
１は被写体を映像信号に変換する撮像部、２はビデオ信号処理部、５はビデオ信号処理部２により処理された信号を記録媒体である磁気テープに記録および磁気テープに記録された信号の再生を行うメカデッキ部、３はビデオ信号処理部２により処理された映像信号をモニターするためのＥＶＥ部、７は再生スイッチ、８は停止ステッチ、９は一時停止スイッチ、１０は記録媒体から正方向あるいは逆方向の再生を行うための回転操作可能な回転操作部材である回転操作スイッチ、１１はリモコン信号受信部である。
【００１５】
上記構成において、マイクロコンピュータ６は回転操作スイッチ１０の回転速度と回転方向を検出する検出手段および検出した回転速度と回転方向に応じて磁気テープからの再生速度、再生方向を変更する制御を行う再生制御手段を構成している。そして、マイクロコンピュータ６は再生時に、回転操作スイッチ１０の回転方向が変更されたことを検出した際、それに応じて再生方向を変更するとともに所定の再生速度で再生する制御を行う。
【００１６】
図２は回転操作スイッチ１０を回転操作（方向転換）をしない場合の再生モード保持時のモード遷移例を示す説明図であり、所定の回転速度に達するまで所定の再生モードを保持する様子を示している。
【００１７】
図３は回転操作スイッチ１０の回転方向転換時に於けるモード遷移例を示す説明図であり、回転操作スイッチ１０の回転方向転換を検出した際に同一の速度で再生方向を転換する様子を示している。
【００１８】
図４は回転操作スイッチ１０の回転方向を示す図であり、回転操作スイッチ１０が時計方向または反時計方向に３０度回転される度に検出信号Ａ，Ｂを出力する。
【００１９】
図５，６、上記の検出信号Ａ，Ｂにより回転操作スイッチ１０の回転方向を検出する方法を示している。なお、検出信号Ａ，Ｂの検出はマイクロコンピュータ６の外部信号割り込み機能や不図示のタイマー割り込み機能に一定周期で行われる。図５に示す検出方法では、検出信号ＡがＯｎ状態の際に検出信号ＢがＯｆｆ状態からＯｎに変化したことにより回転操作スイッチ１０が時計方向の回転であることを検出し（図５（ａ））、検出信号ＢがＯｎ状態の際に検出信号ＡがＯｆｆ状態からＯｎ状態に変化したことにより回転スイッチ１０が反時計方向の回転であることを検出する（図５（ｂ））。
【００２０】
また、図６に示す検出方法では、検出信号Ａの立ち上がりＥｄｇｅ時に検出信号ＢがＯｆｆ状態であることにより回転操作スイッチ１０が時計方向の回転であることを検出し（図６（ａ））、検出信号Ａの立ち上がりＥｄｇｅ時に検出信号ＢがＯｎ状態であることにより回転操作スイッチ１０が反時計方向の回転であることを検出する（図６（ｂ））。
【００２１】
図７は回転操作スイッチ１０の回転検出（時計方向の場合）による再生モード／テープ送りのモード遷移を行う場合の検出方法を示す信号波形図であり、図７（ａ）は回転操作スイッチ１０の回転が一回検出された場合（Ｔｙｐｅ▲１▼）を示しており、図７（ｂ）は回転操作スイッチ１０の回転が複数検出され、その複数の検出信号の合計時間により回転速度を検出する場合を示している（Ｔｙｐｅ▲２▼）。上述したモード遷移を表１に示す。
【００２２】
【表１】
0003679587.tif 000002
【００２３】
図８は一実施例の回転操作スイッチ１０の回転により行われる処理動作を示すフローチャート、図９は図８の回転検出処理動作を示すフローチャート、図１０は図８のモード遷移処理動作を示すフローチャートであり、上述した回転検出方法によるモード遷移処理動作を示する。なお、図８〜図１０の処理動作は不図示のＲＯＭに格納されたプログラムによりマイクロコンピュータ６により行われるものである。
【００２４】
まず、図８のステップｓ０１において、回転検出サブルーチンの呼び出しが行われここで回転操作スイッチ１０の検出を行う。この処理では図９に示すステップｓ５０，ｓ５１により回転検出信号のチェックをおこない検出信号が回転を示す状態であればステップｓ５２にて回転方向を時計回り（ＣＷ，ＦＷＤ）およびステップｓ５３にて回転方向を反時計回り（ＣＣＷ，Ｒｖｓ）としｓ５３において検出カウントの値によりステップｓ５４，ｓ５５，ｓ５７に分岐しフローチャートで示される。ように時計計測の開始／停止、検出カウントの設定、検出Ｔｙｐｅ＝Ｔｙｐｅ▲２▼の決定および時間計測値により回転速度の設定がなされる。
【００２５】
ステップｓ５０，ｓ５１により検出信号が回転を示す状態でなければｓ５９に分岐する。ここで時間計測値のチェックが行われ時間計測値が２００ｍＳｅｃ以上を示している場合には、時間計測の停止、検出カウントの初期化、検出Ｔｙｐｅ＝Ｔｙｐｅ（１）の決定がなされる。ステップｓ６０にてサブルーチンを終了したのち図８のステップｓ０２で回転の検出がなされているかのチェックが行われ回転が検出されていない場合には再度ステップｓ０１にて回転のチェックがおこなわれる。ステップｓ０２において回転が検出されている場合はステップｓ０３に分岐しモード遷移サブルーチンの呼び出しがおこなわれここで回転検出情報によりモードの遷移が行われる。
【００２６】
モード遷移サブルーチンでは表１のモード遷移表に基づいてモード遷移が行われるが、図１０のフローチャートではモード遷移表に於けるＳｌｏｗ×１／５（ステップｓ１２Ｃ）に付いて詳細に説明をおこなう。他の動作モードについてはＳｌｏｗ×１／５同様にモード遷移表によってモード遷移をおこなうためここでは省略する。まず、ステップｓ１１において現在動作中の動作モードのチェックが行われＳｌｏｗ×１／５の場合にはステップＳ１２に分岐する。
【００２７】
つぎに、ステップｓ１３において回転Ｔｙｐｅのチェックが行われ、回転ＴｙｐｅがＴｙｐｅ▲１▼であればステップｓ１４に分岐し、回転検出サブルーチンにより得られた回転方向が反時計方向である場合にはステップｓ１５に分岐し、図３の方向転換時に於けるモード遷移例に示すように、再生停止または静止再生モードを保持することなくすみやかに動作モードをＳｌｏｗ−×１／５としモード遷移の処理を終了とする。また回転方向が時計方向である場合にはステップｓ１６に分岐し、表１に於けるモード遷移表に基づき動作モードをＦｗｄＳｔｉｌｌとしモード遷移の処理を終了する。
【００２８】
ステップｓ１３において回転ＴｙｐｅがＴｙｐｅ▲２▼であればステップｓ１７に分岐し、回転検出サブルーチンにより得られた回転方向が反時計方向である場合にはステップＳ１８、時計方向である場合にはステップＳ１９に分岐し、各々のステップで回転速度のチェックをおこない、チェックされた回転速度により表１に於けるモード遷移表に基づき動作モードを各々Ｓｌｏｗ−×１／５（ステップｓ２０）、Ｓｌｏｗ−×１（ステップｓ２１）、Ｓｌｏｗ−×１０（ステップｓ２２）、Ｓｌｏｗ×１／５（ステップｓ２３）、Ｓｌｏｗ×１（ステップｓ２４）、Ｓｌｏｗ×１０（ステップｓ２５）としモード遷移の処理を終了する。
【００２９】
表１のモード遷移表に基づきモード移行した動作モードは、図２の回転操作をしない場合の再生モード保持時のモード遷移例に示すようにステップｓ０１において回転の検出がされない限り保持される。
【００３０】
なお、本実施例では記録媒体に磁気テープを用いる場合について説明したが、ディスク状の記録媒体であってもよい。
【００３１】
このように本実施例では、回転操作スイッチ１０の回転検出、及び回転方向検出を行い、回転の方向検出により再生方向と逆の方向に回転操作された場合においては、再生停止や静止再生モードを保持することなくすみやかに再生方向の転換を行うことにより、回転操作ステッチの大きさに関わらず所定の再生速度で方向転換を行う操作が容易に行うことができる。
【００３２】
【発明の効果】
以上説明したように、本発明によれば、記録媒体に記録された映像の再生を行うための回転操作部材と、該回転操作部材の回転速度と回転方向を検出する検出手段と、該検出された回転速度と回転方向に応じて映像の再生を行う再生制御手段とを有し、前記再生制御手段は、映像の再生が行われているときに前記回転操作部材の回転方向の変更が検出された場合は、再生方向を変更するとともに、前記回転操作部材の回転速度が所定速度以上であるときは前記回転速度に従った再生速度を選択して再生し、前記回転操作部材の回転速度が前記所定速度に満たないときは前記回転方向が変更される以前の再生速度に従って一意に定まる所定の再生速度で再生する制御を行うようにしたため、前記回転操作部材の操作状態を変えるだけで、再生方向の転換後に前記回転速度に従った再生速度で再生させるか、或いは、前記回転方向が変更される以前の再生速度に従って一意に定まる所定の再生速度で再生させるかを容易に選択でき、更にその選択指示を前記回転操作部材における簡単な操作のみで行えるといった効果がある。
【００３３】
また、所定の再生速度は再生方向を変更する前の再生速度とするようにしたため、回転操作部材の大きさに関らず同一の再生速度で再生方向の転換を行う操作が容易に行えるという効果がある。
【図面の簡単な説明】
【図１】  本発明に係るビデオカメラの要部構成を示すブロック図
【図２】  回転操作しない場合の再生モード保持時のモード遷移例を示す説明図
【図３】  方向転換時に於けるモード遷移例を示す説明図
【図４】  回転操作スイッチの回転方向を示す説明図
【図５】  回転操作スイッチの回転方向の検出方法を示す信号波形図
【図６】  回転操作スイッチの回転方向の検出方法を示す信号波形図
【図７】  再生モード／テープ送りのモード遷移を行う場合の検出方法を示す信号波形図
【図８】  一実施例の回転操作スイッチの回転により行われる処理動作を示すフローチャート
【図９】  図８の回転検出処理動作を示すフローチャート
【図１０】  図８のモード遷移処理動作を示すフローチャート
【符号の説明】
１  撮像部
２  ビデオ信号処理部
３  ＥＶＦ部
４  システムコントロール部
５  メカデッキ部
６  マイクロコンピュータ（検出手段，再生制御手段）
７  再生スイッチ
８  停止スイッチ
９  一時停止スイッチ
１０  回転操作スイッチ
１１  リモコン信号受信部
【図１】
0003679587.tif 000003
【図２】
0003679587.tif 000004
【図３】
0003679587.tif 000005
【図４】
0003679587.tif 000006
【図５】
0003679587.tif 000007
【図６】
0003679587.tif 000008
【図７】
0003679587.tif 000009
【図８】
0003679587.tif 000010
【図９】
0003679587.tif 000011
【図１０】
0003679587.tif 000012